【手続補正書】
【提出日】平成20年6月12日(2008.6.12)
【手続補正１】
【補正対象書類名】明細書
【補正対象項目名】特許請求の範囲
【補正方法】変更
【補正の内容】
【特許請求の範囲】
【請求項１】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部として、該電源部とは別の低電圧電源を昇圧してコンデンサに蓄えた電荷を使用する電源部を有し、
少なくとも受信波検知部が受信波を検知する時期を含む期間の間、前記電源部の昇圧動作を停止することを特徴とする超音波流量計。
【請求項２】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
送信から、超音波の到達時間より短い一定時間後に昇圧動作を停止し、受信波を検知すると再び昇圧動作を開始するようにした超音波流量計。
【請求項３】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
先ず第１回目の送信から、超音波の到達時間より短い一定時間後に昇圧動作を停止し、第１回目の受信波を検知すると再び昇圧動作を開始するようにし、
第２回目以降は、前回の到達時間から一定時間を減じた時間がその回の送信から経過した時に昇圧動作を停止し、受信波を検知すると再び昇圧動作を開始するようにした超音波流量計。
【請求項４】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部として、該電源部とは別の低電圧電源を昇圧してコンデンサに蓄えた電荷を使用する電源部を有し、
少なくとも受信波検知部が受信波を検知する時期を含む期間の間、前記電源部の昇圧動作を停止することを特徴とする超音波流量計。
【請求項５】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部は、該電源部とは別の低電圧電源を昇圧してコンデンサに蓄えた電荷を使用するものであって、
送信から、超音波の到達時間より短い一定時間後に昇圧動作を停止し、受信波を検知すると再び昇圧動作を開始するようにした超音波流量計。
【請求項６】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
送信から、超音波の到達時間より短い一定時間後に昇圧動作を停止するようにした超音波流量計。
【請求項７】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
先ず第１回目の送信から、超音波の到達時間より短い一定時間後に昇圧動作を停止し、
第２回目以降は、前回の到達時間から一定時間を減じた時間がその回の送信から経過した時に昇圧動作を停止するようにした超音波流量計。
【請求項８】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
送信から、超音波の到達時間より短い一定時間後に昇圧動作を停止するようにした超音波流量計。
【手続補正２】
【補正対象書類名】明細書
【補正対象項目名】０００８
【補正方法】変更
【補正の内容】
【０００８】
【発明が解決しようとする課題】
ところで、実際の受信波は図６に示すような綺麗な波形ではなくて、常にノイズが乗っている。従って、確実に受信波を検知して到達時間を精度良く計測するには、Ｓ／Ｎを上げるべく、送信側の超音波送受波器を駆動する電圧を大きくして、ノイズに比べて十分に大きな受信波が得られるようにするとよい。
【手続補正３】
【補正対象書類名】明細書
【補正対象項目名】００１１
【補正方法】変更
【補正の内容】
【００１１】
【課題を解決するための手段】
前記目的を達成するために、請求項１の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部として、該電源部とは別の低電圧電源を昇圧してコンデンサに蓄えた電荷を使用する電源部を有し、
少なくとも受信波検知部が受信波を検知する時期を含む期間の間、前記電源部の昇圧動作を停止することを特徴とする超音波流量計である。
【手続補正４】
【補正対象書類名】明細書
【補正対象項目名】００１２
【補正方法】変更
【補正の内容】
【００１２】
請求項２の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
送信から、超音波の到達時間より短い一定時間後に昇圧動作を停止し、受信波を検知すると再び昇圧動作を開始するようにした超音波流量計である。
【手続補正５】
【補正対象書類名】明細書
【補正対象項目名】００１３
【補正方法】変更
【補正の内容】
【００１３】
請求項３の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
先ず第１回目の送信から、超音波の到達時間より短い一定時間後に昇圧動作を停止し、第１回目の受信波を検知すると再び昇圧動作を開始するようにし、
第２回目以降は、前回の到達時間から一定時間を減じた時間がその回の送信から経過した時に昇圧動作を停止し、受信波を検知すると再び昇圧動作を開始するようにした超音波流量計である。
請求項４の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部として、該電源部とは別の低電圧電源を昇圧してコンデンサに蓄えた電荷を使用する電源部を有し、
少なくとも受信波検知部が受信波を検知する時期を含む期間の間、前記電源部の昇圧動作を停止することを特徴とする超音波流量計である。
請求項５の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部は、該電源部とは別の低電圧電源を昇圧してコンデンサに蓄えた電荷を使用するものであって、
送信から、超音波の到達時間より短い一定時間後に昇圧動作を停止し、受信波を検知すると再び昇圧動作を開始するようにした超音波流量計である。
請求項６の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
送信から、超音波の到達時間より短い一定時間後に昇圧動作を停止するようにした超音波流量計である。
請求項７の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
先ず第１回目の送信から、超音波の到達時間より短い一定時間後に昇圧動作を停止し、
第２回目以降は、前回の到達時間から一定時間を減じた時間がその回の送信から経過した時に昇圧動作を停止するようにした超音波流量計である。
そして、請求項８の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、
送信側の超音波送受波器の駆動に用いる電源部は、該電源部とは別の低電圧電源を昇圧してコンデンサに蓄えた電荷を使用するものであって、
少なくとも受信波検知部が受信波を検知する時期を含む期間の間、前記電源部の昇圧動作を停止することを特徴とし、
送信から、超音波の到達時間より短い一定時間後に昇圧動作を停止するようにした超音波流量計である。